(57)【要約】      （修正有）【課題】足からの力を地面へと十分に伝えることにより、グリップ力を向上させることが可能であり、さらに、足裏を刺激することで心地よさを高めることが可能な靴底および前記靴底を備えた靴を提供する。【解決手段】本底２、本底２の上面に固定された中底３、および、中底３の上面に固定された中敷４を有する靴底１であって、本底２の踏み付け部２１の上面の一部分には、複数の凸部２２が本底２と一体に形成されており、凸部２２は所定の間隔で互いに平行に、靴底１の長手方向と直交する方向に延伸して配置されており、中底３には開口３３が設けられ、開口３３内に凸部２２が配置され、凸部２２の高さは、中底３の厚さ以上であり、中敷４は中底３および開口３３内の凸部２２を覆っている。【選択図】図１
0003213557.tif 000002
【実用新案登録請求の範囲】
【請求項１】
本底、前記本底の上面に固定された中底、および、前記中底の上面に固定された中敷を有する靴底であって、
前記本底の踏み付け部の上面の一部分には、複数の凸部が前記本底と一体に形成されており、前記凸部は所定の間隔で互いに平行に、前記靴底の長手方向と直交する方向に延伸して配置されており、
前記中底には開口が設けられ、前記開口内に前記凸部が配置され、
前記凸部の高さは、前記中底の厚さ以上であり、
前記中敷は前記中底および前記開口内の前記凸部を覆っていることを特徴とする靴底。
【請求項２】
前記凸部は、前方に傾斜していることを特徴とする請求項１に記載の靴底。
【請求項３】
前記凸部は、波形であることを特徴とする請求項１または２に記載の靴底。
【請求項４】
前記中底は、高反発クッションおよび前記高反発クッションの上に重ねられた低反発クッションからなる２層構造であることを特徴とする請求項１〜３のいずれか一項に記載の靴底。
【請求項５】
前記中敷は、前記中底の開口と連通する通気用のパンチングが設けられていることを特徴とする請求項１〜４のいずれか一項に記載の靴底。
【請求項６】
請求項１〜５のいずれか一項に記載の靴底を備えたことを特徴とする靴。
【考案の詳細な説明】
【技術分野】
【０００１】
本考案は、靴底、および、前記靴底を備えた靴に関する。
【背景技術】
【０００２】
靴底に求められる機能の１つとしてグリップ力があり、特にスポーツシューズの分野ではグリップ力を向上させるために様々な従来技術が存在している。グリップ力を向上させるために、これまでは主に靴底の接地面に着目し、グリップ力を向上させるための凸部（特許文献１，２）、溝（特許文献３，４）を靴底の接地面に設けることが行われている。
【０００３】
しかしながら、靴底の上面についてはグリップ力を向上させることを目的としては、これまであまり着目されておらず、例えば、通気性を目的とした突起を設けること（特許文献５）、マッサージ効果を目的とした突起を設けること（特許文献６）などが行われているだけであり、グリップ力の向上を目的とした従来被術は存在していない。
【先行技術文献】
【特許文献】
【０００４】
【特許文献１】特開２００８−  ９３０１６号公報
【特許文献２】特開２０１４−１０４２８６号公報
【特許文献３】特開平７−２８９３０６号公報
【特許文献４】特開２０１３−  ４３００６号公報
【特許文献５】特開２０１２−  ４５０６１号公報
【特許文献６】実用新案登録第３１９４７１３号公報
【考案の概要】
【考案が解決しようとする課題】
【０００５】
靴底の接地面のグリップ力が向上したとしても、足が靴の中で滑ったりすると十分に足から地面に力を伝えることができなくて、十分なグリップ力を発揮することができない。
【０００６】
そこで、本考案は、靴底の上面に着目し、足からの力を地面へと十分に伝えることにより、グリップ力を向上させることが可能であり、さらに、足裏を刺激することで心地よさを高めることが可能な靴底および前記靴底を備えた靴を提供することを目的とする。
【課題を解決するための手段】
【０００７】
本考案の靴底は、本底、前記本底の上面に固定された中底、および、前記中底の上面に固定された中敷を有する靴底であって、前記本底の踏み付け部の上面の一部分には、複数の凸部が前記本底と一体に形成されており、前記凸部は所定の間隔で互いに平行に、前記靴底の長手方向と直交する方向に延伸して配置されており、前記中底には開口が設けられ、前記開口内に前記凸部が配置され、前記凸部の高さは、前記中底の厚さ以上であり、前記中敷は前記中底および前記開口内の前記凸部を覆っていることを特徴とする。
【０００８】
前記凸部は、前方に傾斜しており、さらに、波形であることが好ましい。
【０００９】
前記中底は、高反発クッションおよび前記高反発クッションの上に重ねられた低反発クッションからなる２層構造であることが好ましい。
【００１０】
前記中敷は、前記中底の開口と連通する通気用のパンチングが設けられていることが好ましい。
【００１１】
本考案の靴は、前記靴底を備えることを特徴とする。
【考案の効果】
【００１２】
本考案の靴底は、本底、前記本底の上面に固定された中底、および、前記中底の上面に固定された中敷を有する靴底であって、前記本底の踏み付け部の上面の一部分には、複数の凸部が前記本底と一体に形成されており、前記凸部は所定の間隔で互いに平行に、前記靴底の長手方向と直交する方向に延伸して配置されており、前記中底には開口が設けられ、前記開口内に前記凸部が配置され、前記凸部の高さは、前記中底の厚さ以上であり、前記中敷は前記中底および前記開口内の前記凸部を覆っていることにより、前記凸部を介して足の力が前記靴底の踏み付け部に確実に伝達され、前記靴底の接地面が地面に強く押し付けられることでグリップ力が向上するという優れた効果を奏し、さらに、足裏を刺激することで心地よさを高めるという効果も奏する。
【００１３】
本考案の靴は、前記靴底を備えることにより、前記凸部を介して足の力が前記靴底の踏み付け部に確実に伝達され、前記靴底の接地面が地面に強く押し付けられることでグリップ力が向上するという優れた効果を奏する。
【図面の簡単な説明】
【００１４】
【図１】本考案の靴底の分解斜視図である。
【図２】本考案の靴底の斜視図である。
【図３】中敷を取り外した状態の本考案の靴底の斜視図である。
【図４】本考案の靴底の本底の平面図である。
【図５】本考案の靴底の断面図および部分拡大図である。
【図６】本考案の靴底が変形した状態の拡大断面図である。
【図７】本考案の靴の断面図である。
【考案を実施するための形態】
【００１５】
本考案の靴底１および靴１０について、以下に、図を用いて詳細に説明する。図１に示すのが靴底１の分解斜視図であり、図２に示すのが靴底１の斜視図であり、図６に示すのが靴１０の断面図である。
【００１６】
まず初めに、本考案の靴底１について説明する。本考案の靴底１は、図２，５に示すように、本底２、前記本底２の上面に接着剤などによって固定された中底３、および、前記中底３の上面に接着剤などによって固定された中敷４を有する。
【００１７】
前記本底２の踏み付け部２１の上面の中央付近（足裏から特に力が加えられる付近）には、図１，３，５に示すように、複数の凸部２２が上方に突出するように形成されている。前記本底２は合成ゴムによって形成されており、前記凸部２２が前記本体２と一体成形されている。前記凸部２２は、図４に示すように、所定の間隔で互いに平行に、前記靴底１の長手方向とほぼ直交する方向に延伸するように配置されている。本実施形態では、前記凸部２２は、前方に傾斜し、かつ、波形となるように形成されている。しかしながら、前記凸部２２については、傾斜角度、平面形状、間隔、厚みなどについて適宜変更可能である。前記凸部２２は、前記本底２の上面の窪みの中に設けられており、これにより、変形量を確保することができる。
【００１８】
前記本底２の接地面については、適宜、溝、突起などを設けることが可能であり、本実施形態では、波形の溝と略半球形状の突起を設けることでグリップ力を向上させている。接地面の形態については特に限定するものではなく、様々な形態が可能である。また、前記本底２の形状については、本実施形態のようにヒール部分を設けることにより婦人用の靴に用いられる形状とすることが可能であり、全体の形状を変更することにより、紳士用靴など様々な用途の靴に用いることができる。
【００１９】
前記中底３は、図１，５に示すように、高反発クッション３１および低反発クッション３２からなり、前記高反発クッション３１の上に前記低反発クッション３２が重ねられた２層構造である。このような異なる２種類のクッションからなる２層構造を用いることにより、前記中底３は、歩行時の衝撃を和らげる効果を奏する。前記中底３の構造については、２層構造に限定するものではなく、単層構造、あるいは、３層以上の構造とすることも可能である。そして、前記高反発クッション３１および前記低反発クッション３２の厚みの割合については、適宜変更可能であり、材質についても限定するものではなく、必要とされるクッション性に応じて適宜選択可能である。
【００２０】
前記中底３は、図１，３に示すように、前記凸部２２の位置に開口３３が設けられており、前記開口３３内に前記凸部２２が配置されることになる。前記開口３３の形状については、前記凸部２２に合わせて設定しており、前記凸部２２の配置に合わせて適宜変更可能である。前記中底３の厚さは、前記開口３３内の凸部２２の高さ以下とし、足裏が前記中敷４を介して前記凸部２２と接することができるようにする必要がある。これにより、足裏から前記中敷４を介して前記凸部２２へと力が加えることができるようになる。
【００２１】
前記中敷４は、前記中底３および前記開口３３内の前記凸部２２を覆うように前記中底３の上面に固定されており、図１，５に示すように、前記中底３の開口３３と連通する通気用のパンチング４１が設けられている。前記パンチング４１によって、前記中敷４で覆われた前記開口３３内の空間には、空気が流入出することができることから、これにより、足裏から加えられる力に応じて前記開口３３内の空間は変形することができ、前記開口３３内の空間の変形は、前記凸部２２の変形に連動することになり、より効果的に前記凸部２２に力が加えられることができるようになる。
【００２２】
また、前記中敷４は、ソフトな肌触りのノンスリップのものを用いることにより、履き心地を向上させることができる。そして、場合によっては前記中底４を省略することも可能である。
【００２３】
次に、本考案の靴底１の凸部２２の作用について説明する。歩行動作の途中、または、歩行時に急に停止しようとした時に、図６に示すように、前記靴底１は変形し、足裏から前記中敷４を介して前記凸部２２に加えられる力が増加する。これにより、前記凸部２２は前方に倒れるように変形しながら、前記本底２の接地面に凸部２２を介して確実に力が伝達され、前記靴底１のグリップ力を向上させることができる。
【００２４】
この時、図６に示す余蘊、前記中底３が圧縮されて変形し、前記中敷４のパンチング４１を通じて前記開口３３内の空間の空気が排出されて、前記開口３３内の空間も圧縮されることにより、前記凸部２２は力を伝達するだけでなくクッションとしても機能することができる。
【００２５】
このように、本考案の靴底１は、前記本底２の上面に前記凸部２２を設けることにより、前記靴底１の接地面に効果的に力を伝達することでグリップ力を向上させることができ、さらに、前記凸部２２が足裏を刺激することで心地よさを高めることが可能となる。
【００２６】
次に、前記靴底１を備えた本考案の靴１０について、詳細に説明する。本考案の靴１０は、図７に示すように、靴本体１１に前記靴底１を装着したものであり、ここでは、前記靴１０を婦人用の靴の形態として記載している。前記靴１０は、紳士用、スポーツシューズ、作業靴など様々な形態が可能であり、前記靴底１以外の靴本体１１については特に限定するものではなく、用途に応じて適宜変更可能である。
【００２７】
前記靴１０は、前記靴底１を備えることにより、上述のような、前記本底２の凸部２２によって、前記靴底１の接地面に効果的に力を伝達することでグリップ力を向上させ、さらに、前記凸部２２による足裏への刺激によって心地よさを高めることができるという効果を奏する。
【符号の説明】
【００２８】
１    靴底
２    本底
２１  踏み付け部
２２  凸部
３    中底
３１  高反発クッション
３２  低反発クッション
３３  開口
４    中敷
４１  パンチング
１０  靴
１１  靴本体
【図１】
0003213557.tif 000003
【図２】
0003213557.tif 000004
【図３】
0003213557.tif 000005
【図４】
0003213557.tif 000006
【図５】
0003213557.tif 000007
【図６】
0003213557.tif 000008
【図７】
0003213557.tif 000009